【手続補正書】
【提出日】平成17年1月4日(2005.1.4)
【手続補正１】
【補正対象書類名】明細書
【補正対象項目名】特許請求の範囲
【補正方法】変更
【補正の内容】
【特許請求の範囲】
【請求項１】
空気を圧縮するコンプレッサーと、コンプレッサーから圧縮空気を受けて燃料を燃焼してその燃焼ガスで駆動するガスタービン及びガスタービンの発生動力を電力等に変換する機器からなるガスタービンシステムにおいて、
コンプレッサーの入り口側に吸気室を設け、
吸気室にミストを噴霧する手段を有し、
このミストは、吸気に混入してガスタービンのコンプレッサー内で蒸発させて作動流体を冷却し、
吸気室内で吸気にミストを噴霧する際に、上側で高い密度もしくは下側で低い密度で噴霧してコンプレッサーに供給することを特徴とするガスタービンシステム。
【請求項２】
空気を圧縮するコンプレッサーと、コンプレッサーから圧縮空気を受けて燃料を燃焼してその燃焼ガスで駆動するガスタービン及びガスタービンの発生動力を電力等に変換する機器からなるガスタービンシステムにおいて、
吸気室よりコンプレッサー寄りで、垂直もしくはほぼ垂直に流れる吸気の流れにミストを噴霧する手段を有し、
吸気にミストを混入してガスタービンのコンプレッサー内で蒸発させて作動流体を冷却することを特徴とするガスタービンシステム。
【請求項３】
空気を圧縮するコンプレッサーと、コンプレッサーから圧縮空気を受けて燃料を燃焼してその燃焼ガスで駆動するガスタービン及びガスタービンの発生動力を電力等に変換する機器からなるガスタービンシステムの夏期における吸気冷却方法において、
吸気にミストを噴霧する手段を有し、
このミストは、吸気に混入してガスタービンのコンプレッサー内で蒸発させて作動流体を冷却し、
本システムの全負荷時に、この吸気にミストを混入して、コンプレッサー入り口側において、同じ入り口温度条件でミストを混入しない場合に比べて入り口案内翼及びまたは第１静翼を傾斜して、コンプレッサー入り口吸気の流速を増加することを特徴とするガスタービンシステムの夏期における吸気冷却方法。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】変更
【補正の内容】
【００２９】【課題を解決するための手段】請求項３（図３）では、空気を圧縮するコンプレッサーと、コンプレッサーから圧縮空気を受けて燃料を燃焼してその燃焼ガスで駆動するガスタービン及びガスタービンの発生動力を電力等に変換する機器からなるガスタービンシステムの夏期における吸気冷却方法において、吸気にミストを噴霧する手段を有し、このミストは、吸気に混入してガスタービンのコンプレッサー内で蒸発させて作動流体を冷却し、本システムの全負荷時に、この吸気にミストを混入して、コンプレッサー入り口側において、同じ入り口温度条件でミストを混入しない場合に比べて入り口案内翼及びまたは第１静翼を傾斜して、コンプレッサー入り口吸気の流速を増加することを特徴とするガスタービンシステムの夏期における吸気冷却方法からなる。


【手続補正１８】
【補正対象書類名】明細書
【補正対象項目名】００３７
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４４
【補正方法】変更
【補正の内容】
【００４４】請求項１（図４）では、空気を圧縮するコンプレッサーと、コンプレッサーから圧縮空気を受けて燃料を燃焼してその燃焼ガスで駆動するガスタービン及びガスタービンの発生動力を電力等に変換する機器からなるガスタービンシステムにおいて、コンプレッサーの入り口側に吸気室を設け、吸気室にミストを噴霧する手段を有し、このミストは、吸気に混入してガスタービンのコンプレッサー内で蒸発させて作動流体を冷却し、吸気室内で吸気にミストを噴霧する際に、上側で高い密度もしくは下側で低い密度で噴霧してコンプレッサーに供給することを特徴とするガスタービンシステムからなる。


【手続補正２２】
【補正対象書類名】明細書
【補正対象項目名】００４６
【補正方法】削除
【補正の内容】
【手続補正２３】
【補正対象書類名】明細書
【補正対象項目名】００４９
【補正方法】変更
【補正の内容】
【００４９】請求項２（図１２）では、空気を圧縮するコンプレッサーと、コンプレッサーから圧縮空気を受けて燃料を燃焼してその燃焼ガスで駆動するガスタービン及びガスタービンの発生動力を電力等に変換する機器からなるガスタービンシステムにおいて、
吸気室よりコンプレッサー寄りで、垂直もしくはほぼ垂直に流れる吸気の流れにミストを噴霧する手段を有し、吸気にミストを混入してガスタービンのコンプレッサー内で蒸発させて作動流体を冷却することを特徴とするガスタービンシステムからなる。


【手続補正２４】
【補正対象書類名】明細書
【補正対象項目名】００５０
【補正方法】削除
【補正の内容】
【手続補正２５】
【補正対象書類名】明細書
【補正対象項目名】００５９
【補正方法】変更
【補正の内容】
【００５９】
【発明の実施の形態】図１は参考図である。ガスタービンシステムをコンバインドシステムに適用した例である。図１の吸気室１は略図化したものであり、図４のように吸気ダクト、吸気プレナムからなる構成のものも含んでいる。


【手続補正２６】
【補正対象書類名】明細書
【補正対象項目名】００６８
【補正方法】変更
【補正の内容】
【００６８】図２は参考図である。そしてガスタービンシステムをコンバインドシステムに適用した例である。


【手続補正２７】
【補正対象書類名】明細書
【補正対象項目名】００７２
【補正方法】変更
【補正の内容】
【００７２】図３は請求項３対応の実施の形態であり、コンプレッサーの動翼及び静翼の並びの例である。シャフト側５１に付いているのが動翼で、ケーシング５２に一部を埋めた形のものが静翼である。なお入り口には可変入り口案内翼５６がある。入り口側の動翼３段は耐食性動翼５３であり、この図の翼の中でもっともミスト耐食性が高いチタン製である。そして入り口側の静翼２段は耐食性静翼５５であり、耐食性合金からなる。そして可変入り口案内翼５６も耐食性合金からなる。他の動翼及び静翼はミストを受けたとして各々の耐食性がこれらより劣る合金鋼からなる。


【手続補正２８】
【補正対象書類名】明細書
【補正対象項目名】００７３
【補正方法】変更
【補正の内容】
【００７３】図４は請求項１対応の実施の形態である。ガスタービン６５に入る空気は、吸気室６１で、フィルター６６を通り、燃料蒸発冷熱で冷却する場合はフィン付き冷却管７５で冷却される。次に吸気ダクト内で、水を加圧して噴霧器６７で噴霧して吸気に混入する。このミストはコンプレッサー６４に送る。ミスト噴霧は上方に密度を高く偏って行う。吸気ダクト６２や吸気プレナム６３の壁に付着した水は回収して再度ミスト化する。回収した凝縮水も（濾過などして）噴霧器６７からミスト化してこれもコンプレッサー６４に送る。また、ミスト化する水は外部から供給する。


【手続補正２９】
【補正対象書類名】明細書
【補正対象項目名】００７５
【補正方法】変更
【補正の内容】
【００７５】図５は請求項１対応の実施の形態である。ガスタービン８６に入る空気は、吸気室８１で、フィルター８２を通り、フィン付き冷却管９６で冷却される。次に吸気ダクト内で、水を加圧して噴霧器８４でミストを噴霧して吸気に混入する。このミストはコンプレッサー８５に送る。ミスト噴霧は上方に密度を高く偏って行う。入り口側で回収した水はストレーナー９４を通して噴射器８３から水を噴射して冷却管９６に付着したダストを落とす。またコンプレッサー側で回収した水はストレーナー９５を通して再び噴霧器８４からミストにして噴霧する。


【手続補正３０】
【補正対象書類名】明細書
【補正対象項目名】００７８
【補正方法】変更
【補正の内容】
【００７８】図６は請求項１対応の実施の形態である。図５との相違はフィルターを通過したダストの除去を水シャワーで行っている点である。ガスタービン８６に入る空気は、吸気室８１で、フィルター８２を通り、シャワー９７で吸気に水滴をかけてダストを落とす。回収した凝縮水はストレーナー９４を通してシャワー９７から再び噴射する。次にフィン付き冷却管９６で冷却される。次に吸気ダクト内で、水を加圧して噴霧器８４でミストを噴霧し吸気に混入する。


【手続補正３１】
【補正対象書類名】明細書
【補正対象項目名】００８０
【補正方法】変更
【補正の内容】
【００８０】図７は請求項１対応の実施の形態である。図５との相違はフィルターを通過したダストの付着をプレート又は充填材に水膜を形成してそれにダストを付着させる点である。ガスタービン８６に入る空気は、吸気室８１で、フィルター８２を通り、フィン付き冷却管９６で冷却される。次にプレート又は充填材９８でダストを落とす。回収した凝縮水はストレーナー９４を通して循環する。次に吸気ダクト内で、水を加圧して噴霧器８４で噴霧し吸気に混入する。ここで使用する充填材は吸気の圧力損失が小さくできることが重要である。


【手続補正３２】
【補正対象書類名】明細書
【補正対象項目名】００８２
【補正方法】変更
【補正の内容】
【００８２】図８〜図１０は参考図である。電力需要ピークには吸気冷却を作動してさらに吸気にミストを噴霧している。そして、ピークから少し外れた時間ではミストの噴霧は停止している。ミストを混入する時間は吸気を冷却する時間よりも短い。図８及び図９は本ガスタービンシステムを終日稼動させる場合の例、図１０は電力需要が多い時間帯に稼動させる場合の例である。また、図８〜図１０では吸気冷却による累積効果とミスト噴霧による累積効果を比較すると、吸気冷却による累積効果の方が明らかに大きい。


【手続補正３３】
【補正対象書類名】明細書
【補正対象項目名】００８３
【補正方法】変更
【補正の内容】
【００８３】図１２は請求項２対応の実施の形態である。吸気は吸気室１０１に入りついでフィルター１０２で多くのダストを取り除かれて水平方向に流れる。次に吸気の流れは垂直方向に変えられる。吸気の流れがほぼ垂直に変わったところでノズルを吸気の流れ方向に向けてミスト噴霧する。これによって、吸気が流れる風路の壁面にミストが付着する量を少なくできる。したがって回収水量が少なくできるのでポンプ１１３の容量も小さくできる。


【手続補正３４】
【補正対象書類名】明細書
【補正対象項目名】図面の簡単な説明
【補正方法】変更
【補正の内容】
【図面の簡単な説明】
【図１】参考図である。
【図２】参考図である。
【図３】実施の形態であり、コンプレサーの一部断面図である。
【図４】実施の形態である。
【図５】実施の形態である。
【図６】実施の形態である。
【図７】実施の形態である。
【図８】吸気冷却作動時間の参考図である。
【図９】吸気冷却作動時間の参考図である。
【図１０】吸気冷却作動時間の参考図である。
【図１１】夏期１日の電力需要（指数）の例である。
【図１２】実施の形態である。
【符号の説明】
１，２１，６１，８１，１０１  吸気室
２，２２，６６，８２，１０２  フィルター
３，２３，７５，９６，１０３  冷却管
４，２４，６７，８４，１０４  噴霧器
５，２５，６４，８５，１０６  コンプレッサー
６，２６，６５，８６，１０７  ガスタービン
７，２７  廃熱回収熱交換器
８，２８  スタック
９，３０  冷媒コンプレッサー
１０，３１，３２  凝縮器
１１，２９，６８，８７，８８，１１０  タンク
１２，１３，３５〜４２，７１〜７４，８９，９０，１１１〜１１４  ポンプ
１４，１５，４３〜４５，６９，７０，９１〜９３，１１５〜１１７  調整弁
３３  タービン
３４  熱交換器
５１  シャフト側
５２  ケーシング
５３  ミスト耐食性動翼
５４  第１段ミスト耐食性動翼
５５  ミスト耐食性静翼
５６  可変入り口案内翼
５７  翼角度
５８  第１段静翼
６２  吸気ダクト
６３，１０５  吸気プレナム
８３  噴射器
９４，９５  ストレーナー
９７  シャワー
９８  プレート又は充填材
１０８，１０９  純水装置